【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
デンプン含有農業廃棄物から形成される熱可塑性組成物であって、
乾重量で５０％未満のデンプン量を含む、４５〜７０重量％のデンプン含有農業廃棄物と、
２５〜５０重量％の熱可塑性合成ポリマーと、
少なくとも１重量％のカップリング剤との、
加熱配合された混合物を含む、熱可塑性組成物。
【請求項２】
前記加熱配合された混合物が、充填剤材料、抗酸化剤、および／または着色剤の１つまたはそれ以上をさらに含む、請求項１に記載の熱可塑性組成物。
【請求項３】
前記乾重量で５０％未満のデンプン量を含むデンプン含有農業廃棄物が、乾重量で２０％未満のアミロース量を含む、請求項１に記載の熱可塑性組成物。
【請求項４】
前記加熱配合された混合物が、繊維状天然充填剤材料をさらに含む、請求項１に記載の熱可塑性組成物。
【請求項５】
前記加熱配合された混合物が、粉砕された粉末の天然充填剤材料をさらに含む、請求項１に記載の熱可塑性組成物。
【請求項６】
前記加熱配合された混合物が、１７０ミクロン以下の平均粒径を有する天然充填剤材料をさらに含む、請求項１に記載の熱可塑性組成物。
【請求項７】
０．０１〜１０重量％の可塑剤をさらに含む、請求項１に記載の熱可塑性組成物。
【請求項８】
前記可塑剤が、糖アルコール、ポリオール、ソルビトールエトキシラート、グリセロールエトキシラート、ペンタエリトリトールエトキシラート、ソルビトールアセタート、ペンタエリトリトールアセタート、水、尿素、尿素誘導体、糖アルコールの無水物、フタル酸エステル、コハク酸ジメチル、コハク酸ジエチル、コハク酸ジメチルのエステル、コハク酸ジエチルのエステル、一酢酸グリセロール、二酢酸グリセロール、三酢酸グリセロール、グリセロール一酸エステル（ｇｌｙｃｅｒｏｌ  ｍｏｎｏ  ａｃｉｄ  ｅｓｔｅｒｓ）、クエン酸エステル、アジピン酸エステル、ステアリン酸エステル、オレイン酸エステル、エチレンとアクリル酸とのコポリマー、マレイン酸グラフトポリエチレン、ポリブタジエン−ｃｏ−アクリル酸、ポリブタジエン−ｃｏ−マレイン酸、プロピレン−ｃｏ−アクリル酸、ポリプロピレン−ｃｏ−マレイン酸、アジピン酸誘導体、安息香酸誘導体、クエン酸誘導体、リン酸誘導体、セバシン酸誘導体、モノグリセリド、ジグリセリド、アセチル化モノグリセリド、アセチル化モノステアリン酸グリセロール、アセチル化グリセロールモノエステル−１２−ヒドロキシステアリン酸、グリセロールの酢酸エステル、モノプロピオン酸グリセロール、ジプロピオン酸グリセロール、トリプロピオン酸グリセロール、ブタノアート、ステアラート、アルキルアミド、トリメチロールプロパン、ジメチルスルホキシド、マンニトールモノアセタート、および／またはマンニトールモノエトキシラートの１つまたはそれ以上である、請求項７に記載の熱可塑性組成物。
【請求項９】
前記熱可塑性合成ポリマーが、ポリビニルアルコールまたは酢酸ポリビニルを含み得るビニルポリマー；ポリビニルカルバゾール；ポリスチレン；ポリ乳酸；ポリ（ヒドロキシブチラート）またはポリヒドロキシルアジパートを含み得るポリエステル；ポリ（アルキレンテレフタラート）；ポリアクリロニトリル；ポリ（アルキレンオキシド）；ポリイミド；ポリアリールエーテル；ポリカルボナート；ポリプロピレン、ポリエチレンまたはポリイソブチレンを含み得るポリオレフィン；アクリロニトリルブタジエンスチレンコポリマー、スチレンアクリロニトリルコポリマー、スチレンエチレンブタジエンコポリマーまたはスチレンエチレンブチレンスチレンコポリマーを含み得るスチレンコポリマー；エチレン酢酸ビニルコポリマー；エチレンビニルアルコールコポリマー；エチレンアクリル酸コポリマー；エチレンアクリル酸エチルコポリマー、エチレンアクリル酸メチルコポリマー；アクリロニトリル／ブタジエン／スチレンコポリマー；スチレンアクリロニトリルコポリマー；ならびにそれらの組み合わせの１つまたはそれ以上である、請求項１に記載の熱可塑性組成物。
【請求項１０】
前記加熱配合された混合物が、少なくとも２５重量％の天然充填剤材料をさらに含む、請求項１に記載の熱可塑性組成物。
【請求項１１】
前記加熱配合された混合物が、木材、ケナフ、ヤシ殻、ココナッツ殻およびモミ殻の少なくとも１つを含む天然充填剤材料をさらに含む、請求項１に記載の熱可塑性組成物。
【請求項１２】
前記加熱配合された混合物が、０．２〜１重量％の抗酸化剤をさらに含む、請求項１に記載の熱可塑性組成物。
【請求項１３】
前記加熱配合された混合物が、３〜１０重量％の着色剤をさらに含む、請求項１に記載の熱可塑性組成物。
【請求項１４】
０．０１〜５重量％の開始剤をさらに含む、請求項１に記載の熱可塑性組成物。
【請求項１５】
農業廃棄物から熱可塑性組成物を形成する方法であって、
乾重量で５０％未満のデンプン量を含むデンプン含有農業廃棄物と可塑剤とを混合して第１の混合物を形成するステップと、
合成ポリマーとカップリング剤とを混合して第２の混合物を形成するステップと、
前記第１の混合物と前記第２の混合物とを配合して熱可塑性組成物を形成するステップと、
を含む、方法。
【請求項１６】
前記配合が前記第１の混合物と前記第２の混合物とを混合すること及び共押出することを含む、請求項１５に記載の方法。
【請求項１７】
前記配合が前記第１の混合物と前記第２の混合物とを押出機中で混合することおよび前記押出機から前記熱可塑性組成物を押出することを含む、請求項１５に記載の方法。
【請求項１８】
前記配合が前記第１の混合物と前記第２の混合物とを二軸押出機中で混合することおよび前記二軸押出機から前記熱可塑性組成物を押出することを含む、請求項１５に記載の方法。
【請求項１９】
前記配合が前記第１の混合物と前記第２の混合物とを押出機中で混合し、前記押出機から前記熱可塑性組成物を押出することを含み、前記押出機が３０〜６０の長さ／直径率を有する、請求項１５に記載の方法。
【請求項２０】
前記配合が１４０℃またはそれ以上の温度で実施される、請求項１５に記載の方法。
【請求項２１】
前記第１の混合物の形成が、充填剤材料を、前記乾重量で５０％未満のデンプン量を含むデンプン含有農業廃棄物および前記可塑剤と混合することを含む、請求項１５に記載の方法。
【請求項２２】
前記第１の混合物の形成が、天然充填剤材料を、前記乾重量で５０％未満のデンプン量を含むデンプン含有農業廃棄物および前記可塑剤と混合することを含む、請求項１５に記載の方法。
【請求項２３】
前記第１の混合物の形成が、粉砕された粉末の天然充填剤材料を、前記乾重量で５０％未満のデンプン量を含むデンプン含有農業廃棄物および前記可塑剤と混合することを含む、請求項１５に記載の方法。
【請求項２４】
前記第１の混合物の形成が、繊維状天然充填剤材料を、前記乾重量で５０％未満のデンプン量を含むデンプン含有農業廃棄物および前記可塑剤と混合することを含む、請求項１５に記載の方法。
【請求項２５】
前記第１の混合物の形成が、１７０ミクロン以下の平均粒径を有する天然充填剤材料を、前記乾重量で５０％未満のデンプン量を含むデンプン含有農業廃棄物および前記可塑剤と混合することを含む、請求項１５に記載の方法。
【請求項２６】
前記合成ポリマーが、ポリビニルアルコールまたは酢酸ポリビニルを含み得るビニルポリマー；ポリビニルカルバゾール；ポリスチレン；ポリ乳酸；ポリ（ヒドロキシブチラート）またはポリヒドロキシルアジパートを含み得るポリエステル；ポリ（アルキレンテレフタラート）；ポリアクリロニトリル；ポリ（アルキレンオキシド）；ポリイミド；ポリアリールエーテル；ポリカルボナート；ポリプロピレン、ポリエチレンまたはポリイソブチレンを含み得るポリオレフィン；アクリロニトリルブタジエンスチレンコポリマー、スチレンアクリロニトリルコポリマー、スチレンエチレンブタジエンコポリマーまたはスチレンエチレンブチレンスチレンコポリマーを含み得るスチレンコポリマー；エチレン酢酸ビニルコポリマー；エチレンビニルアルコールコポリマー；エチレンアクリル酸コポリマー；エチレンアクリル酸エチルコポリマー、エチレンアクリル酸メチルコポリマー；アクリロニトリル／ブタジエン／スチレンコポリマー；スチレンアクリロニトリルコポリマー；ならびにそれらの組み合わせの１つまたはそれ以上である、請求項１５に記載の方法。
【請求項２７】
前記乾重量で５０％未満のデンプン量を含むデンプン含有農業廃棄物が乾重量で２０％未満のアミロース量を含む、請求項１５に記載の方法。
【請求項２８】
前記可塑剤が、糖アルコール、ポリオール、ソルビトールエトキシラート、グリセロールエトキシラート、ペンタエリトリトールエトキシラート、ソルビトールアセタート、ペンタエリトリトールアセタート、水、尿素、尿素誘導体、糖アルコールの無水物、フタル酸エステル、コハク酸ジメチル、コハク酸ジエチル、コハク酸ジメチルのエステル、コハク酸ジエチルのエステル、一酢酸グリセロール、二酢酸グリセロール、三酢酸グリセロール、グリセロール一酸エステル（ｇｌｙｃｅｒｏｌ  ｍｏｎｏ  ａｃｉｄ  ｅｓｔｅｒｓ）、クエン酸エステル、アジピン酸エステル、ステアリン酸エステル、オレイン酸エステル、エチレンとアクリル酸とのコポリマー、マレイン酸グラフトポリエチレン、ポリブタジエン−ｃｏ−アクリル酸、ポリブタジエン−ｃｏ−マレイン酸、プロピレン−ｃｏ−アクリル酸、ポリプロピレン−ｃｏ−マレイン酸、アジピン酸誘導体、安息香酸誘導体、クエン酸誘導体、リン酸誘導体、セバシン酸誘導体、モノグリセリド、ジグリセリド、アセチル化モノグリセリド、アセチル化モノステアリン酸グリセロール、アセチル化グリセロールモノエステル−１２−ヒドロキシステアリン酸、グリセロールの酢酸エステル、モノプロピオン酸グリセロール、ジプロピオン酸グリセロール、トリプロピオン酸グリセロール、ブタノアート、ステアラート、アルキルアミド、トリメチロールプロパン、ジメチルスルホキシド、マンニトールモノアセタート、および／またはマンニトールモノエトキシラートの１つまたはそれ以上である、請求項１５に記載の方法。
【請求項２９】
デンプン含有農業廃棄物から形成される熱可塑性組成物であって、
乾重量で５０％未満のデンプン量を含む、４５〜７０重量％のパームやし果房と、
２５〜５０重量％のポリプロピレンと、
０．０１〜５重量％の有機ペルオキシド開始剤と、
少なくとも１重量％の無水マレイン酸変性ポリオレフィンカップリング剤との
加熱配合された混合物を含む、熱可塑性組成物。
【請求項３０】
前記無水マレイン酸変性ポリオレフィンカップリング剤が無水マレイン酸変性ポリプロピレンである、請求項２９に記載の熱可塑性組成物。
【請求項３１】
前記無水マレイン酸変性ポリプロピレンが少なくとも約５重量％である、請求項３０に記載の熱可塑性組成物。
【請求項３２】
前記有機ペルオキシド開始剤がジ−ｔｅｒｔ−ブチルペルオキシドを含む、請求項２９に記載の熱可塑性組成物。
【請求項３３】
前記有機ペルオキシド開始剤がジ−アルキルペルオキシドを含む、請求項２９に記載の熱可塑性組成物。
【請求項３４】
前記ジ−アルキルペルオキシドが過酸化ジクミルである、請求項３３に記載の熱可塑性組成物。
【請求項３５】
請求項２９に記載の熱可塑性組成物から製造される製品。
【請求項３６】
前記製品がシート押出製品である、請求項３５に記載の製品。
【請求項３７】
請求項２９に記載の熱可塑性組成物のシート押出から製造される製品。